(57)【要約】【課題】側突時における車両側部の変形を抑制して、こうした側突時において乗員空間を好適に確保する。【解決手段】車両の安全装置は、側突検出センサからの検出信号に基づいて側突の発生を事前に検出するとともに、この側突が事前に検出されるときに各種モータを駆動制御する。そして、一対の支持軸１４，２４が直線上に位置するように一対のシート１０，２０の相対位置が調整される。【選択図】図４
2008074204.tif 000002
【特許請求の範囲】
【請求項１】
車室内に車幅方向に並設され、その車室内における相対位置を調節する位置調整機構を有する一対の車両用シートにおいて車幅方向全体にわたって延設された補強部材を備え、側突時の衝撃力を前記一方の補強部材から前記他方の補強部材に伝達させることにより車両側部の変形を抑制するようにした車両の安全装置において、
側突の発生を事前に検出する側突検出手段と、
該側突検出手段により側突が事前に検出されるときに前記位置調整機構を駆動制御して前記一対の補強部材が直線上に位置するように前記一対の車両用シートの少なくとも一方の相対位置を調整する位置調整手段と、を備える
ことを特徴とする車両の安全装置。
【請求項２】
請求項１に記載の車両の安全装置において、
前記補強部材は、前記一対のシートのそれぞれのシートバック内に設けられてなる
ことを特徴とする車両の安全装置。
【請求項３】
請求項１又は２に記載の車両の安全装置において、
前記位置調整手段は、前記位置調整機構を駆動制御して前記一対の補強部材が直線上に位置するように前記一対の車両用シートの双方の相対位置を調整する
ことを特徴とする車両の安全装置。
【請求項４】
請求項１〜請求項３のいずれか一項に記載の車両の安全装置において、
前記一対の補強部材はその各端部において前記車両用シートのアームレストを支持するものであり、車両側突時に各補強部材の間に位置する一対のアームレストが当接することにより衝撃力が前記一方の補強部材から前記他方の補強部材に伝達される
ことを特徴とする車両の安全装置。
【請求項５】
請求項４に記載の車両の安全装置において、
前記一対の補強部材の間に位置する各アームレストが近接するように同一対の補強部材をその軸方向に延伸させる駆動手段と、
側突時の衝撃を検出する検出手段とを更に備え、
前記駆動手段は前記検出手段により側突による衝撃が検出されたときに前記各アームレストが当接するように前記一対の補強部材を延伸させる
ことを特徴とする車両の安全装置。
【請求項６】
請求項５に記載の車両の安全装置において、
前記駆動手段は、火薬点火式のアクチュエータである
ことを特徴とする車両の安全装置。
【請求項７】
請求項１〜請求項６のいずれか一項に記載の車両の安全装置において、
前記調整手段は前記側突検出手段により側突が事前に検出されるときに、車両のサイドピラーと接触可能な位置に前記車両用シートの相対位置を調整する
ことを特徴とする車両の安全装置。
【発明の詳細な説明】
【技術分野】
【０００１】
本発明は、側突時における車両側部の変形を抑制可能な車両の安全装置に関する。
【背景技術】
【０００２】
側突時、すなわち車両の側部に車幅方向から大きな衝撃力が作用した場合、その衝撃力の大きさによっては車両の側部が大きく変形して車室内における乗員空間が狭められてしまうことがある。そこで、こうした側突時における車両の変形を抑制するために、例えば次のような安全装置が提案されている。すなわち、この安全装置では、車室内において、車幅方向に並設された一対のシートのシートバックに車幅方向に延びる補強部材がそれぞれ内蔵されるとともに、これら補強部材の間には各補強部材に対して接触可能な荷重伝達部材が配設されている。このように補強部材及び荷重伝達部材を配設することにより車幅方向における車両の剛性を高めるようにしている。従って、側突時、車両の側部に衝撃力が作用しても、同衝撃力による側部の変形が抑制されるようになり、これにより乗員空間の確保が図られるようになる。なお、この種の安全装置としては、例えば特許文献１に記載のものを挙げることができる。
【特許文献１】特開平５−３０１５５１号公報
【発明の開示】
【発明が解決しようとする課題】
【０００３】
ところで一般に、車両のシートにおいては、シートバックの傾斜角度を調整するリクライニング機能や、同シートの前後方向における位置を調節するスライド機能等々の位置調整機構を有しており、シートバックの傾斜角度やシートの前後方向における位置が各シートについて個別に調節することが可能となっている。これにより、シートに着座する乗員の体格等に応じて各シートの状態を変更することができるため、着座時における快適性を高めることができようになる。しかしその反面、上述したような安全装置を備えた車両にあって、その側突時においては以下のような問題が無視できないものとなる。
【０００４】
すなわち、例えばシートバックの傾斜角度がそれぞれのシートにおいて異なる角度に調整されている、あるいは各シートがその前後方向において異なる位置に調整されている場合にあっては、衝撃力が一方の補強部材から他方の補強部材に適切に伝達されないため、同衝撃力が好適に分散されずに、結局はその変形抑制効果も限られたものとなる。また、これを避けるため、それら補強部材の位置を調整するにしても、衝突があってからの短い期間内にこれを行うには、高い迅速性が要求されるため、実際には極めて困難なものであるいえる。
【０００５】
本発明は、上記課題に鑑みてなされたものであり、その目的は、側突時における車両側部の変形を抑制して、こうした側突時において乗員空間を好適に確保することのできる車両の安全装置を提供することにある。
【課題を解決するための手段】
【０００６】
上記課題を解決するために、請求項１に記載の発明は、車室内に車幅方向に並設され、その車室内における相対位置を調節する位置調整機構を有する一対の車両用シートにおいて車幅方向全体にわたって延設された補強部材を備え、側突時の衝撃力を前記一方の補強部材から前記他方の補強部材に伝達させることにより車両側部の変形を抑制するようにした車両の安全装置において、側突の発生を事前に検出する側突検出手段と、該側突検出手段により側突が事前に検出されるときに前記位置調整機構を駆動制御して前記一対の補強部材が直線上に位置するように前記一対の車両用シートの少なくとも一方の相対位置を調整する位置調整手段と、を備えることを要旨とする。
【０００７】
補強部材同士が車幅方向において直線上に位置していない場合、車両側部に作用する衝撃力が好適に分散されないことは上述したとおりであるが、この点について同構成では、一対の補強部材が極力直線上に位置するように車両用シートの位置調整機構を駆動制御する。ちなみに、車両用シートの相対位置とは、同シートのリクライニングの傾斜角度や前後方向のスライドにより変位する位置、上下方向の昇降により変位する位置等である。そして、このような位置調整を側突が事前に検出されるときに行うこととしたため、実際の衝突に先立って位置調整のための制御を開始することができ位置調整を迅速に行うこともできるようになる。したがって、車両への側突に際して各補強部材の位置を迅速に調整することで、側突時における車両側部の変形を抑制して、こうした側突時において乗員空間を好適に確保することができるようになる。
【０００８】
そして、このような補強部材は、例えば請求項２に記載のもののように、一対の車両用シートのそれぞれのシートバック内に設けることができる。
請求項３に記載の発明は、請求項１又は２に記載の車両の安全装置において、前記位置調整手段は、前記位置調整機構を駆動制御して前記一対の補強部材が直線上に位置するように前記一対の車両用シートの双方の相対位置を調整することを要旨とする。
【０００９】
同構成によれば、一対の車両用シートの双方の位置が位置調整手段により調整されるため、所望の直線上に一対の補強部材を変位させるために要する時間が短縮されることとなり、この位置調整処理の迅速性を高めることができる。
【００１０】
請求項４に記載の発明は、請求項１〜請求項３のいずれか一項に記載の車両の安全装置において、前記一対の補強部材はその各端部において前記車両用シートのアームレストを支持するものであり、車両側突時に各補強部材の間に位置する一対のアームレストが当接することにより衝撃力が前記一方の補強部材から前記他方の補強部材に伝達されることを要旨とする。
【００１１】
同構成によれば、アームレストを支持する部材を補強部材として設けることで、補強部材を別途設ける必要が無くなり、車両用シートの構成についてその複雑化を回避することができる。また、アームレストは通常、車室内において近接して設けられているため、側突時にはこれらアームレストがより早期に接触することとなる。従って、このアームレスト同士の接触により側突の際の衝撃力を好適に分散させることができ、ひいては車両変形を効果的に抑制することができるようになる。
【００１２】
請求項５に記載の発明は、請求項４に記載の車両の安全装置において、前記一対の補強部材の間に位置する各アームレストが近接するように同一対の補強部材をその軸方向に延伸させる駆動手段と、側突時の衝撃を検出する検出手段とを更に備え、前記駆動手段は前記検出手段により側突による衝撃が検出されたときに前記各アームレストが当接するように前記一対の補強部材を延伸させることを要旨とする。
【００１３】
同構成では、側突時の衝撃が検知されると、補強部材がそれぞれ車内側に向けて延伸され、アームレストもこの延伸に伴って互いに当接する。したがって、衝突後のより早い時点で各アームレストが当接し、このアームレストを介して衝撃を分散することが可能となり、車両側部の変形の抑制効果も一層向上するようになる。
【００１４】
請求項６に記載の発明は、請求項５に記載の車両の安全装置において、前記駆動手段は、火薬点火式のアクチュエータであることを要旨とする。
同構成では、例えばモータ等、機械駆動式のアクチュエータを使用した場合と比較して衝撃の検知から補強部材を変位させるまでの時間を極力短くすることが可能となる。
【００１５】
請求項７に記載の発明は、請求項１〜請求項６のいずれか一項に記載の車両の安全装置において、前記調整手段は前記側突検出手段により側突が事前に検出されるときに、車両のサイドピラーと接触可能な位置に前記車両用シートの相対位置を調整することを要旨とする。
【００１６】
車両側部においてサイドピラーが設けられている部分は、他の部分と比べて相対的に剛性が高くなっている。したがって、側突時の衝撃力はこのサイドピラーを介して補強部材に伝達されるようになるため、車両側部における変形を一層抑制することができるようになる。
【発明の効果】
【００１７】
本発明にかかる車両の安全装置によれば、側突時における車両側部の変形を抑制して乗員空間を好適に確保することができる。
【発明を実施するための最良の形態】
【００１８】
以下、本発明を具体化した一実施形態を図１〜図６に基づいて説明する。図１（ａ），（ｂ）は、車両の平面図、並びに車両への側突時、すなわち車両の側部に車幅方向から大きな衝撃力が作用した場合の車両の状況を示す模式図である。また、図２は本実施形態にかかる車両の安全装置が適用される車両１の車室内を示す斜視図であり、図３は車両１に設けられたシート１０の側面図である。図１（ｂ）に示されるように、車両１に作用する衝撃力が大きいと車両１の側部１ａが大きく変形して車室内における乗員空間Ｓが狭められてしまうことがある。そこで、本実施形態にかかる車両の安全装置は、このような車両１の変形、具体的には車両１の前後方向における略中間部分、すなわち２列目のシート１０，２０が配設された位置における乗員空間Ｓの確保をその目的としている。
【００１９】
図２に示されるように、この車両には、左右一対のシート１０，２０が車両１の車幅方向に並設されている。なお、これらシート１０，２０は互いに独立した一人掛用のシートである。また、シート１０，２０は、シートバック１１，２１をそれぞれ備えており、このシートバック１１，２１には、左右両側にアームレスト１２，２２がそれぞれ取り付けられている。これらのシート１０，２０は、そのシートバック１１，２１の側面が車両側部１ａにおける剛性を確保するためのサイドピラー３０と対向する位置に設けられている。
【００２０】
また、これらシート１０，２０には、以下に示す同シート１０，２０の車室内における相対位置を調節する各種位置調整機構が設けられている。すなわち、図３に示されるように、シート２０は、シートバック２１の傾斜角度を調整可能なリクライニング機構を有している。このリクライニング機構によれば、シート２０内に設けられたリクライニング用モータ（図示略）を駆動することによりシートバック２１の傾斜角度を調節することができる。また、シート２０は、その車両前後方向における位置を調節するスライド機構を有している。このスライド機構は、シート２０の下部に位置する車両の床面に車両前後方向に延設された一対のロワーレール１５ａ、シート２０の底面に取り付けられ、ロワーレール１５ａに対して摺動可能な一対のアッパーレール１５ｂ、並びにシート２０内に設けられ、ロワーレール１５ａに対するアッパーレール１５ｂの車両前後方向における位置を調節するスライド用モータ（図示略）を備えている。そして、シートバック２１に取り付けられたアームレスト２２は、シートバック２１内に車幅方向全体にわたって延設された円柱状の支持軸２４の端部において相対回動可能に支持されている。なお、シート１０は車室内における位置がシート２０と異なるものの、その構成については同一であるため、その説明は割愛する。
【００２１】
次に、本安全装置の具体的な構成について図４及び図５を併せ参照して説明する。図４は、一対のシート１０，２０の内部構造を示す正面図であり、図５はアームレスト２２の支持軸２４に設けられたパイロアクチュエータ（火薬点火式アクチュエータ）２７を拡大して示す正面図である。
【００２２】
同図４に示されるように、シートバック１１,２１内にはアームレスト１２，２２の支持軸１４，２４が架設されている。これら支持軸１４，２４はシートバック１１,２１内に設けられたパイロアクチュエータ１７，２７の作動によって車幅方向において延伸可能に構成されている。具体的には、図５に示されるように、一方の支持軸２４は、アームレスト２２を回動可能に支持する一対の支持バーを有した支持部２４ａと、一対のリンクバーを有し、その端部にこれら支持部２４ａの各支持バーが連結されたリンク部２４ｂとによって構成されている。リンク部２４ｂの各リンクバーの一端は支持部２４ａの各支持バーの端部に対して回動可能に連結されるとともに、他端が互いに回動可能に連結されている。また、このリンクバーの連結部分２４ｃは通常時にはパイロアクチュエータ２７側に屈折されており、その屈折部位にパイロアクチュエータ２７のピストン２７ａが連結されている。従って、このピストン２７ａが上記連結部分２４ｃ側に突出すると、リンクバーの連結部分２４ｃが下側に押し下げられるとともに、各支持部２４ａがシート２０の外方に突出する。これにより支持軸２４は車幅方向に延伸し、その端部に取り付けられたアームレスト２２はアームレスト１２に当接した状態となる。なお、もう一方の支持軸１４は車室内における位置が先の支持軸２４と異なるものの、その構成については同一であるため、その説明は割愛する。
【００２３】
次に、本安全装置の電気的構成について図６を参照して説明する。
この車両の安全装置は電子制御装置４０によって制御されている。この電子制御装置４０には、車両の状態を検出する各種センサ類が接続されており、これらセンサ類からの信号が入力される。このセンサ類としては次のようなものがある。例えば、車両には側突を事前に検出するため側突検出センサ４１が搭載されている。この側突検出センサ４１は、ミリ波レーダにより、車両前方や側方における車両、路上障害物、などを検知するものである。そして、電子制御装置４０は、この側突検出センサ４１からの検知信号の入力に基づいてこの車両等との衝突が回避可能か否かを判定し、事前に正面の衝突や側突等を検出する。また、車両には実際の側突を検出する衝撃検出センサ４２が設けられている。衝撃検出センサ４２は、例えば車両の側方等に設けられており、この部分に衝撃力が作用すると電子制御装置４０に対し検出信号を出力する。
【００２４】
また、各シート１０，２０には、シートバック１１，２１の傾斜角度を検出するリクライニング角度検出センサ４３がそれぞれ設けられるとともに、シート１０，２０の車両の前後方向における位置を検出するスライド位置検出センサ４４がそれぞれ設けられている。これらリクライニング角度検出センサ４３およびスライド位置検出センサ４４からの入力に基づいて、電子制御装置４０はシート１０，２０の車両内における相対位置を把握する。
【００２５】
また、電子制御装置４０には、上述した支持軸１４，２４を駆動するパイロアクチュエータ１７，２７や、シート１０，２０を車両の前後方向に変位させるスライド用モータ１６，２６、シートバック１１，２１の傾斜角度を調整するリクライニング用モータ１３，２３が接続されている。
【００２６】
次に、車両の側突時における本安全装置の作動態様について説明する。
車両の側方等に他の車両等が接近すると、側突検出センサ４１によりこの車両との距離等が電子制御装置４０に入力される。次いで、この入力された信号からこの車両との側突が回避不可能であると判定されると、リクライニング角度検出センサ４３およびスライド位置検出センサ４４からの入力値に基づいてその時点におけるシート１０，２０の車両内における相対位置が把握される。次いで、この把握されたシート位置と、予め設定されたシート１０，２０の所定位置との差分が算出される。この所定位置とは、支持軸１４，２４が車両のサイドピラー３０と接触可能な位置である。
【００２７】
次いで、スライド用モータ１６，２６およびリクライニング用モータ１３，２３が、この算出された差分だけシート１０，２０を変位するように駆動される。具体的には、シート１０，２０の変位に必要な各モータの駆動時間が設定されて、この時間だけ各モータが駆動される。このように側突検出センサ４１からの入力信号に基づいて実際の側突の前にシート１０，２０の位置調整のための制御が行われることにより、同位置調整の迅速性の確保が図られるようになる。そして、このようにシート１０，２０がそれぞれ位置調整されることにより、各シート１０，２０内に設けられた補強部材である支持軸１４，２４が同一直線上に位置するようになるため、車両１の車幅方向における剛性が向上される。
【００２８】
また、実際の車両の側方に衝撃力が作用して衝撃検出センサ４２から電子制御装置４０に信号が入力されると、パイロアクチュエータ１７，２７がそれぞれ作動して、支持軸１４，２４が車内側に延伸して互いにアームレスト１２，２２を介して当接する。したがって、衝突後の早い時点で各アームレスト１２，２２が当接し、このアームレスト１２，２２を介して衝撃を分散することが可能となり、車両側部１ａ（図１（ａ）参照）の変形の抑制効果も一層向上するようになる。
【００２９】
以上説明した本実施形態の車両の安全装置は以下の作用効果を奏することができる。
（１）側突検出センサ４１からの検出信号に基づいて側突の発生が事前に検出され、この側突が事前に検出されるときに各種モータが駆動制御されて、一対の支持軸１４，２４が直線上に位置するように一対のシート１０，２０の相対位置が調整されることとした。支持軸１４，２４同士が車幅方向において直線上に位置していない場合、車両側部１ａに作用する衝撃力が好適に分散されないことは上述したとおりであるが、このように構成することで、一対の支持軸１４，２４が直線上に位置するように変位されるようになる。そして、このような位置調整を側突が事前に検出されるときに行うこととしたため、実際の衝突に先立って位置調整のための制御を開始することができ位置調整を迅速に行うこともできるようになる。したがって、車両１への側突に際して各支持軸１４，２４の位置を迅速に調整することで、側突時における車両側部１ａの変形を抑制して、こうした側突時において乗員空間Ｓが好適に確保されるようになる。
【００３０】
（２）一対の支持軸１４，２４を同一直線上に変位させる制御の際に、一対のシート１０，２０の双方の位置を調整することとしたため、所望の直線上に一対の支持軸１４，２４を変位させるために要する時間が短縮されることとなり、この位置調整処理の迅速性を高めることができる。
【００３１】
（３）車両側突時に支持軸１４，２４によって支持された一対のアームレスト１２，２２が当接することにより衝撃力が前記一方の支持軸から前記他方の支持軸に伝達されることとした。このような構成によれば、アームレスト１２,２２を支持する支持軸１４，２４により車両の車幅方向における剛性を補強することとしたため、改めて補強用の部材を別途設ける必要が無くなり、車両用シート１０，２０の構成についてその複雑化を回避することができる。
【００３２】
（４）衝撃検出センサ４２からの検出信号に基づいて側突による衝撃が検出されたときに、各アームレスト１２，２２が当接するようにパイロアクチュエータ１７，２７により一対の支持軸１４，２４を変位させることとした。このように構成することで、側突時の衝撃が検知されると、支持軸１４，２４がそれぞれ車内側に向けて変位され、アームレスト１２，２２もこの変位に伴って互いに当接する。したがって、衝突後のより早い時点で各アームレスト１２，２２が当接し、このアームレスト１２，２２を介して衝撃を分散することが可能となり、衝撃による車両側部１ａの変形の抑制効果も一層向上させることができるようになる。
【００３３】
（５）支持軸１４，２４を火薬点火式のパイロアクチュエータ１７，２７により駆動することとしたため、例えばモータ等、機械駆動式のアクチュエータを使用した場合と比較して衝撃の検知から支持軸１４，２４を変位させるまでの時間を極力短くすることが可能となる。
【００３４】
（６）側突検出センサ４１からの検出信号の入力に基づいて側突が事前に検出されたときに、車両のサイドピラー３０と接触可能な位置にシート１０，２０の相対位置を調整することとした。車両側部１ａにおいてサイドピラー３０が設けられている部分は、他の部分と比べて相対的に剛性が高くなっている。したがって、側突時の衝撃力はこのサイドピラー３０を介して支持軸１４，２４に伝達されるようになるため、車両側部１ａにおける変形を一層抑制することができるようになる。
【００３５】
なお、本実施形態はこれを適宜変更した以下の形態にて実施することもできる。
・側突検出センサとしては、上述したミリ波レーダを用いたものの他、例えばミリ波レーダからの情報に加えカメラからの画像情報に基づいて側突を予め検出するものや、このカメラのみのものを採用することもできる。
【００３６】
・上記実施形態では、各シート１０，２０を各支持軸１４，２４がサイドピラー３０と接触可能に位置に変位させるようにしたが、サイドピラー３０の側方でなくとも支持軸１４，２４を同一直線上に位置させることで十分な車両の剛性が確保できるのであれば、車室内の他の位置にシート１０，２０を変位させることもできる。例えば、一対のシート１０，２０をそれぞれ所望の位置に変位させる構成や、一方のシートを他方のシートの位置に変位させる構成が採用可能である。
【００３７】
・上記実施形態では、支持軸１４，２４を駆動する手段としてパイロアクチュエータ１７，２７を用いたが、制御の迅速性が得られるものであればソレノイド等他の駆動手段を採用してもよい。
【００３８】
・上記実施形態では、各アームレスト１２，２２の双方が延伸される構成を示したが、一方のアームレストは延伸されずに、他方のアームレストのみが延伸されてアームレスト同士が当接する構成を採用してもよい。
【００３９】
・またアームレストの双方が延伸されない構成であっても、アームレストはシートバック同士よりも互いの間の距離が短いため、一対のシートが互いのアームレストが略接触するような位置に設けられていれば、上記（４）に準ずる効果を奏することができる。
【００４０】
・また、図７に示されるように、補強部材はアームレスト１２，２２の支持軸１４，２４として設けずに、シート１０，２０のシートバックの骨格部材に対し直接固定されるものとして設ける構成を採用することもできる。また、この骨格部材自体の剛性を車両への側突へ耐えうるように構成してもよい。
【００４１】
・また、シートの車内における相対位置としては、シートバックのリクライニング角度や車両前後方向におけるスライド位置の他、シートの上下方向における昇降位置等も調整可能である。そして、側突が事前に検出されたときには、車両に搭載されている位置調整機構によって調整可能な位置のみを調整すればよい。
【００４２】
・上記実施形態では、補強部材をシートバック内に設けたが、これは例えばシート１０，２０の下方のスペースに設ける構成とすることもできる。
・上記実施形態では、車両の安全装置が車両の２列目のシート１０，２０に適用される例を示したが、この車両の安全装置が適用される列はこれに限定されない。例えば、一列目や３列目のシート、あるいは１〜３列目のシート全てにこの安全装置を設ける構成を採用することもできる。
【図面の簡単な説明】
【００４３】
【図１】（ａ），（ｂ）は、車両への側突時、すなわち車両の側部に車幅方向から大きな衝撃力が作用した場合の車両の状況を示す模式図。
【図２】本発明の車両の安全装置が適用された車両の車室内を示す斜視図。
【図３】同じく、車両に設けられたシートの態様を示す側面図。
【図４】一対のシートの内部の構造を示す正面図。
【図５】パイロアクチュエータを用いた支持軸の延伸機構を示す模式図。
【図６】車両の安全装置の電気的構成を示すブロック図。
【図７】一対のシートの内部の構造の変形例を示す正面図。
【符号の説明】
【００４４】
１…車両側部、１０，２０…シート、１１，２１…シートバック、１２，２２…アームレスト、１４，２４…支持軸、１７，２７…パイロアクチュエータ、３０…サイドピラー、４０…電子制御装置、４１…側突検出センサ、４２…衝突検出センサ、Ｓ…乗員空間。
【図１】
2008074204.tif 000003
【図２】
2008074204.tif 000004
【図３】
2008074204.tif 000005
【図４】
2008074204.tif 000006
【図５】
2008074204.tif 000007
【図６】
2008074204.tif 000008
【図７】
2008074204.tif 000009